(57)【特許請求の範囲】
【請求項１】
電線挿入穴と、電線挿入穴から挿入された電線の導体部が接触する端子板と、端子板方向に電線の導体部を付勢する鎖錠バネと、鎖錠解除部及び操作部を有する電線解除用釦と、を備えた回路遮断器において、前記電線解除用釦は、一辺を鎖錠解除部とし、他辺を操作部として構成されるＬ字状で形成され、且操作部には電線挿入用穴が設けられ、電線解除用釦の操作部が回路遮断器の外郭の外側に有り、電線解除用釦の操作部を電線挿入方向に移動して、電線解除用釦の鎖錠解除部が鎖錠バネを押圧することにより電線を解除することを特徴とする回路遮断器の端子装置。
【請求項２】
前記電線解除用釦の操作部には、回路遮断器の外郭成形品とは異なる色をつけたことを特徴とする請求項１記載の回路遮断器の端子装置。
【請求項３】
前記電線解除用釦の鎖錠解除部の先端にテーパを設けることを特徴とする請求項１記載の回路遮断器の端子装置。
【請求項４】
前記電線解除用釦の操作部に凸部、又は鎖錠解除部に凸部もしくは凹部を設けたことを特徴とする請求項１記載の回路遮断器の端子装置。
【請求項５】
前記電線解除用釦の操作部の端を伸ばし、回路遮断器の側面側に回転支持用凸部を設けるか、もしくは、回路遮断器の側面に凸部を設けたことを特徴とする請求項１記載の回路遮断器の端子装置。
【請求項６】
電線挿入穴と、電線挿入穴から挿入された電線の導体部が接触する端子板と、端子板方向に電線の導体部を付勢する鎖錠バネと、鎖錠解除部及び操作部を有する電線解除用釦と、を備えた回路遮断器において、電線解除用釦の鎖錠解除部に電線挿入ガイドを設け、電線解除用釦の操作部が回路遮断器の外郭の外側に有り、電線解除用釦の操作部を電線挿入方向に移動して、電線解除用釦の鎖錠解除部が鎖錠バネを押圧することにより電線を解除することを特徴とする回路遮断器の端子装置。
【請求項７】
鎖錠バネの押圧部とは干渉しないところまで前記電線解除用釦の鎖錠解除部の電線挿入ガイド部を伸ばし、鎖錠バネの鎖錠部と当接する部分に鎖錠部の幅に相当する切りかきを設けたことを特徴とする請求項６記載の回路遮断器の端子装置。
【請求項８】
前記電線解除用釦の鎖錠解除部の電線挿入ガイド形状をＶ字状もしくはＵ字状にして、電線挿入ガイド部の先端を狭めることを特徴とする請求項６記載の回路遮断器の端子装置。
【発明の詳細な説明】
【０００１】
【発明の属する技術分野】
本発明は、回路遮断器の端子装置の電線導体接続に関するものである。
【０００２】
【従来の技術】
従来の回路遮断器を図１０に示す。この回路遮断器では、図１１（ａ）に示すように、電線挿入穴から絶縁被覆付き電線５の被覆を剥いで露出させた導体部が挿入されると、図１１（ｂ）に示すように、端子板７に対抗して配設される鎖錠バネ６の接圧片によって電線５の導体部が端子板７に押圧され、鎖錠片により電線５は保持され、導体部と端子板７とが電気的に接続されることになる。
【０００３】
また、電線５を解除する際には、図１１（ｃ）に示すように、器体に枢支された解除部材４が枢支点を中心に、→の方向に時計周りに回動する。すると、解除部材４の一端が鎖錠バネ６の鎖錠片を弾性変形することにより、電線５が解除され接圧片の力の摩擦力のみが電線引き抜き力になり容易に電線を解除することができる。ここでの電線解除力は、鎖錠バネ６の鎖錠部バネ力×Ｂ／Ａとなる。
【０００４】
【発明が解決しようとする課題】
ところが、上述の回路遮断器では、下記（１）及び（２）のような問題点がある。
（１）解除部材は、鎖錠バネの鎖錠片を枢支点を中心にほぼ接線方向に押圧するため、鎖錠片からの大きな反力を受けるので、解除部材はてこ比（即ちＢ／Ａ）を大きく採る必要があり、結果回路遮断器の大型化が伴う。
（２）屋内の電気工事など暗い環境下で行われる施工時には、非常に見づらく、回路遮断器が分電盤に取り付いた状態で電線の接続および解除を行う際の施工効率が低い。
【０００５】
本発明は、上記問題点に鑑みてなされたものであり、その目的とするところは、電線の接続および解除を容易にする小型の優れた回路遮断器の端子装置を提供することにある。
【０００６】
【課題を解決するための手段】
請求項１記載の発明は、電線挿入穴と、電線挿入穴から挿入された電線の導体部が接触する端子板と、端子板方向に電線の導体部を付勢する鎖錠バネと、鎖錠解除部及び操作部を有する電線解除用釦と、を備えた回路遮断器において、前記電線解除用釦は、一辺を鎖錠解除部とし、他辺を操作部として構成されるＬ字状で形成され、且操作部には電線挿入用穴が設けられ、前記電線解除用釦の操作部が回路遮断器の外郭の外側に有り、電線解除用釦の操作部を電線挿入方向に移動して、前記電線解除用釦の鎖錠解除部が鎖錠バネを押圧することにより電線を解除することを特徴とする回路遮断器の端子装置。
【０００８】
請求項２記載の発明は、前記電線解除用釦の操作部には、回路遮断器の外郭成形品とは異なる色をつけたことを特徴とする請求項１記載の回路遮断器の端子装置。
【０００９】
請求項３記載の発明は、請求項１記載の回路遮断器の端子装置において、前記電線解除用釦の鎖錠解除部の先端にテーパを設けたことを特徴とするものである。
【００１０】
請求項４記載の発明は、請求項１記載の回路遮断器の端子装置において、前記電線解除用釦の操作部に凸部、もしくは鎖錠解除部に凸部もしくは凹部を設けたことを特徴とするものである。
【００１１】
請求項５記載の発明は、請求項１記載の回路遮断器の端子装置において、 前記電線解除用釦の操作部の端を伸ばし、回路遮断器の側面側に凸部を設けるか、もしくは、回路遮断器の側面に凸部を設けたことを特徴とするものである。
【００１２】
請求項６記載の発明は、電線挿入穴と、電線挿入穴から挿入された電線の導体部が接触する端子板と、端子板方向に電線の導体部を付勢する鎖錠バネと、鎖錠解除部及び操作部を有する電線解除用釦と、を備えた回路遮断器において、電線解除用釦の鎖錠解除部に電線挿入ガイドを設け、電線解除用釦の操作部が回路遮断器の外郭の外側に有り、電線解除用釦の操作部を電線挿入方向に移動して、電線解除用釦の鎖錠解除部が鎖錠バネを押圧することにより電線を解除することを特徴とするものである。
【００１３】
請求項７記載の発明は、請求項６記載の回路遮断器の端子装置において、鎖錠バネの押圧部とは干渉しないところまで前記電線解除用釦の鎖錠解除部の電線挿入ガイド部を伸ばし、鎖錠バネの鎖錠部と当接する部分に鎖錠部の幅に相当する切りかきを設けたことを特徴とするものである。
【００１４】
請求項８記載の発明は、請求項６記載の回路遮断器の端子装置において、前記電線解除用釦の鎖錠解除部の電線挿入ガイド形状をＶ字状もしくはＵ字状にして電線挿入ガイド部の先端を狭めたことを特徴とするものである。
【００１５】
【発明の実施の形態】
本発明の第１の実施を図１乃至図３に、第２の実施の形態を図５に、第３の実施の形態を図６に、第４の実施の形態を図７に、第５の実施の形態を図８に、第６の実施の形態を図９に基づき夫々詳細に説明する。
【００１６】
［第１の実施の形態］
図１本発明の回路遮断器の端子装置を組み込んだ分電盤１の上面図であり、図２は動作説明図である。また図３は電線解除用釦の斜視図である。
【００１７】
本発明の回路遮断器の端子装置３は、電線接続部、電線解除用釦、及びこれらを内包する器体（回路遮断器）の部分に分類される。こうした回路遮断器３は図１に示すように分電盤１に組み込まれる。
【００１８】
電線接続部は、図２（ａ）に示す通り、端子板７、鎖錠バネ６、から構成される。鎖錠バネ６は、接圧片と鎖錠片とを有している。端子板７は、鎖錠バネ６と対抗する位置に配置されている。電線解除用釦４は、図３に示す通り、鎖錠解除部９と操作部１０と電線挿入穴１１とから構成される。鎖錠解除部９は、器体８のガイド部に沿って摺動可能で、鎖錠バネ６の鎖錠片を直線的に押圧できるよう配置されている。
【００１９】
次に、動作について説明する。図２（ｂ）に示す通り、、先端の導体部が露出した電線を電線解除用釦４の電線挿入穴１１を通して挿入すると、鎖錠バネ６の鎖錠片を通り、接圧片が電線の導体部５を端子板７に圧接し、端子板７と電線の導体部５とが電気的に接続されることになる。この際、鎖錠片は電線の導体部５を係止し、振動や衝撃などによって電線が抜けようとするのをねじなどにより固定することなく防止している。
【００２０】
挿入された電線を回路遮断器から引き抜く動作について説明する。前述したように、鎖錠バネ６の鎖錠片が挿入された電線の導体部５を係止しているので、引き抜くだけでは簡単に外れないようになっている。そこで、この回路遮断器では、鎖錠バネ６の鎖錠片が導体部５を係止するのを緩める電線解除用釦４を設けている。電線解除用釦４を、図２（ｃ）に示すように器体８に設けられたガイド部に沿って電線挿入方向（即ちＡからＢ）に押すと、電線解除用釦４の鎖錠解除部９が鎖錠バネ６の鎖錠片を押し下げ、鎖錠片が導体部５を係止しなくなる。この間に、電線５を引き抜けば容易に回路遮断器から外すことが可能となる。
【００２１】
また、この電線解除用釦４と回路遮断器の外郭８とを異なる色、例えば回路遮断器の外郭８が黒色とするなら、電線解除用釦４は白又は黄色など識別可能な所謂対向色等を配色にすることにより、暗い環境下で行われる施工時にも作業性を良くすることが可能となる。
【００２２】
［第２の実施の形態］
図４（ａ）に示すように、電線解除用釦４の鎖錠解除部９が鎖錠バネ６の鎖錠片を押し下げる際に当接する部分にテーパ１２を設ける。これにより、鎖錠片を押し下げる力を逃がすことになり、図４（ｂ）に示すように電線解除時の電線５の引き抜きをさらに容易にすることが可能となる。
【００２３】
なお、本実施の形態の回路遮断器の基本構成は、第１の実施の形態のものとよく似ており、同じ部分については同一の番号を付して、その詳細な説明を省略する。
【００２４】
［第３の実施の形態］
図５（ａ）に示すように、電線解除用釦４の鎖錠解除部９から凸部１３もしくは図５（ｂ）に示すように、凹部１４を設けることにより、電線解除時に電線解除用釦４の押し込み量の目安になりうる構成となっている。これにより、電線５を容易に回路遮断器から外すことが可能となる。また、図６（ａ）に示すように、操作部１０から凸部１５を設けても同じ効果が得られる。
【００２５】
なお、本実施の形態の回路遮断器の基本構成は、第１の実施の形態のものとよく似ており、同じ部分については同一の番号を付して、その詳細な説明を省略する。
【００２６】
［第４の実施の形態］
図６（ａ）に示すように、電線解除用釦４の操作部１０から凸部１５もしくは、回路遮断器から凸部（不図示）を設けることにより、電線解除用釦４を矢印の方向に押すことにより凸部１５を支点に鎖錠解除部９が回転し、鎖錠バネ６の鎖錠片を押し下げる構成となっている。これにより、凸部１５を支点として、てこ比分の力で電線解除用釦４を、図６（ｃ）に示すような矢印の方向に押すことになり、電線解除時の電線５の引き抜きを更に容易にすることが可能となる。
【００２７】
なお、本実施の形態の回路遮断器の基本構成は、第１の実施の形態のものとよく似ており、同じ部分については同一の番号を付して、その詳細な説明を省略する。
【００２８】
［第５の実施の形態］
本実施の形態は、図７に示すように電線解除用釦４の鎖錠解除部９に電線挿入ガイド１６を設けることにより、電線挿入時に、電線導体５が電線挿入穴１０を通って挿入され、鎖錠バネ６の鎖錠片を通り、接圧片が電線の導体部５を端子板７に圧接する構成となっている。これにより、端子板７と電線の導体部５とが電気的に接続される際に、電線の導体部５が横にずれたりすることを防ぎ、電線５の位置決めを容易にすることが可能となる。
【００２９】
なお、本実施の形態の回路遮断器の基本構成は、第１の実施の形態のものとよく似ており、同じ部分については同一の番号を付して、その詳細な説明を省略する。
【００３０】
［第６の実施の形態］
本実施の形態は、図８（ａ）に示すように、さらに電線解除用釦４の鎖錠解除部９を、鎖錠バネ６の押圧片に干渉しない位置まで伸ばして電線挿入ガイド１６を設けることによりさらに電線の位置決めを良くする。この際に、鎖錠解除部９を鎖錠バネ６の鎖錠片とが当接する部分に切りかき１７を設けることにより、電線解除時に鎖錠バネ６の鎖錠片を押すことができ、電線解除時の電線５の引き抜きも容易にすることが可能となる。
【００３１】
なお、本実施の形態の回路遮断器の基本構成は、第１の実施の形態のものとよく似ており、同じ部分については同一の番号を付して、その詳細な説明を省略する。
【００３２】
［第７の実施の形態］
本実施の形態は、図９に示すように、前述した第６の実施の形態の電線挿入ガイド１６の形状を、Ｕ字もしくはＶ時にして先端を狭めることにより、電線の導体部５が挿入されていくと更に電線の導体部５が横にずれたりすることを防ぎ、電線の位置決めを容易にすることが可能となる。また、上述した第６の実施の形態と併用することにより、さらに安定した接続状態を確保できる。
【００３３】
なお、本実施の形態の回路遮断器の基本構成は、第１の実施の形態のものとよく似ており、同じ部分については同一の番号を付して、その詳細な説明を省略する。
【００３４】
【発明の効果】
請求項１記載の発明にあっては、電線解除用釦の操作部が回路遮断器の外郭の外側に有り、電線解除用釦の操作部を電線挿入方向に移動して、電線解除用釦の鎖錠解除部が鎖錠バネを押圧することにより電線を解除することができるので、小型で且使用者は電線導体部を容易に解除することができので、施工時の効率向上につながると言う効果を奏する。又、電線解除用釦がＬ字状で一辺が鎖錠解除部と、他辺が操作部とからなり、操作部に電線挿入用穴を設けたことにより、電線が特に邪魔にならずに電線導体部を容易に解除することができ、施工時の効率向上につながると言う効果を奏する。
【００３６】
請求項２記載の発明にあっては、請求項１記載の発明の効果に加え更に、電線解除用釦の操作部に回路遮断器の外郭成形品とは異なる色をつけているので、使用者がより見やすくなると言う効果を奏する。
【００３７】
請求項３記載の発明にあっては、請求項１記載の発明の効果に加え更に、電線解除用釦の鎖錠解除部の先端にテーパを設けることにより、鎖錠バネを押圧する部分の摩擦を低減できさらに、電線導体部を容易に解除することができると言う効果を奏する。
【００３８】
請求項４記載の発明にあっては、請求項１記載の発明の効果に加え更に、電線解除用釦の操作部もしくは鎖錠解除部に凸部もしくは凹部を設ることにより、使用者が電線導体部を解除する際に、電線解除用釦の押し込み量の目安ができると言う効果を奏する。
【００３９】
請求項５記載の発明にあっては、請求項１記載の発明の効果に加え更に、電線解除用釦の操作部の一端を伸ばし、回路遮断器の側面側に凸部を設けたことにより、凸部を中心に回転して鎖錠バネを押圧することができ、回路遮断器の大型化にはつながらずに、電線導体部をより小さい力で解除することができると言う効果を奏する。
【００４０】
請求項７記載の発明にあっては、電線解除用釦の操作部が回路遮断器の外郭の外側に有り、電線解除用釦の操作部を電線挿入方向に移動して、電線解除用釦の鎖錠解除部が鎖錠バネを押圧することにより電線を解除することができるので、小型で且使用者は電線導体部を容易に解除することができので、施工時の効率向上につながると言う効果を奏する。又、電線解除用釦の鎖錠解除部に電線挿入ガイドを設けたことにより、鎖錠解除部が電線を解除するだけでなく、電線挿入時に電線の挿入位置決めができ、安定した接続状態を確保できると言う効果を奏する。
【００４１】
請求項７記載の発明にあっては、請求項６記載の発明の効果に加え更に、電線解除用釦の鎖錠解除部の電線挿入ガイド部を伸ばし、鎖錠バネの鎖錠部と当接する部分に切りかきを設けたことで、より電線挿入時に電線の挿入位置決めができ、安定した接続状態を確保できると言う効果を奏する。
【００４２】
請求項８記載の発明にあっては、請求項６記載の発明の効果に加え更に、電線解除用釦の鎖錠解除部の電線挿入ガイド形状を、Ｖ字状もしくはＵ字状にして電線挿入ガイド部の先端を狭めることで、より電線挿入位置決めができ、安定した接続状態を確保できると言う効果を奏する。
【図面の簡単な説明】
【図１】本発明の回路遮断器の端子装置を組み込んだ分電盤の上面図である。
【図２】回路遮断器の電線接続に関する動作説明図であり（ａ）電線を挿入する前の状態、（ｂ）電線を挿入し接続完了の状態、（ｃ）電線解除の状態を示す図である。
【図３】本発明の第１の実施の形態の電線解除用釦の斜視図である。
【図４】本発明の第２の実施の形態の（ａ）電線解除用釦の斜視図、（ｂ）電線を挿入し接続完了の状態を示す図である。
【図５】本発明の第３の実施の形態の（ａ）（ｂ）電線解除用釦の斜視図、（ｃ）電線を挿入し接続完了の状態を示す図である。
【図６】本発明の第４の実施の形態の（ａ）電線解除用釦の斜視図、（ｂ）電線を挿入し接続完了の状態、（ｃ）電線解除の状態を示す図である。
【図７】本発明の第５の実施の形態の電線解除用釦の斜視図である。
【図８】本発明の第６の実施の形態の（ａ）電線解除用釦の斜視図、（ｂ）電線を挿入し接続完了の状態を示す図である。
【図９】本発明の第７の実施の形態の電線解除用釦の斜視図である。
【図１０】従来の回路遮断器の（ａ）上面図、（ｂ）側面図である。
【図１１】従来の回路遮断器の電線接続に関する動作説明図であり、（ａ）電線を挿入する前の状態、（ｂ）電線を挿入し接続完了の状態、（ｃ）電線解除の状態を示す図である。
【符号の説明】
１    分電盤
２    主幹回路遮断器
３    分岐回路遮断器
４    電線解除用釦
５    電線導体
６    鎖錠バネ
７    端子板
８    分岐回路遮断器の外郭
９    鎖錠解除部
１０  操作部
１１  電線挿入穴
１２  テーパ
１３  凸部ストッパ
１４  凹部ストッパ
１５  回転支持用凸部
１６  電線挿入ガイド
１７  切りかき
【図１】
0003777853.tif 000002
【図２】
0003777853.tif 000003
【図３】
0003777853.tif 000004
【図４】
0003777853.tif 000005
【図５】
0003777853.tif 000006
【図６】
0003777853.tif 000007
【図７】
0003777853.tif 000008
【図８】
0003777853.tif 000009
【図９】
0003777853.tif 000010
【図１０】
0003777853.tif 000011
【図１１】
0003777853.tif 000012